【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
（ｉ）少なくとも一つのオレフィンベースエラストマーポリマーと、
（ｉｉ）坪量が約２５ｇｓｍ以下のエラストマーフィルムを製造するのに有効な量の少なくとも一つのドローダウンポリマーとを含む層を含み、
前記エラストマーフィルムが約２５ｇｓｍ以下の坪量を有し、前記エラストマーフィルムが最初にその元々のサイズの１００％延伸されてから回復した後約１５％以下の永久歪を有するエラストマーフィルム。
【請求項２】
前記少なくとも一つのオレフィンベースエラストマーポリマーがオレフィンブロックコポリマー、オレフィンランダムコポリマー、エチレンコポリマー、プロピレンコポリマーおよびそれらの混合物からなる群から選択される、請求項１に記載のエラストマーフィルム。
【請求項３】
前記少なくとも一つのオレフィンベースエラストマーポリマーがエチレンオレフィンブロックコポリマー、プロピレンオレフィンブロックコポリマー、エチレンオレフィンランダムコポリマー、プロピレンオレフィンランダムコポリマー、およびそれらの混合物からなる群から選択される、請求項１に記載のエラストマーフィルム。
【請求項４】
前記少なくとも一つのオレフィンベースエラストマーポリマーが、エチレン−プロピレンランダムコポリマー、エチレン−ブテンランダムコポリマー、エチレン−ヘキセンランダムコポリマー、エチレン−オクテンオレフィンブロックコポリマー、プロピレン−エチレンオレフィンブロックコポリマー、エチレンαオレフィンコポリマー、エチレンαオレフィンランダムコポリマー、エチレンαオレフィンブロックコポリマー、およびそれらの混合物からなる群から選択される、請求項１に記載のエラストマーフィルム。
【請求項５】
非オレフィンベースエラストマーポリマーをさらに含む、請求項１に記載のエラストマーフィルム。
【請求項６】
前記少なくとも一つのオレフィンベースエラストマーポリマーが前記層の約７０重量％から約９０重量％までの合計量で存在する、請求項１に記載のエラストマーフィルム。
【請求項７】
前記少なくとも一つのドローダウンポリマーがリニア低密度ポリエチレン、高密度ポリエチレン、ホモポリマーポリプロピレン、およびそれらの混合物からなる群から選択される、請求項１に記載のエラストマーフィルム。
【請求項８】
前記少なくとも一つのドローダウンポリマーが前記層の約５重量％から約２５重量％までの合計量で存在する、請求項１に記載のエラストマーフィルム。
【請求項９】
前記エラストマーフィルムが少なくとも約２００ｆｐｍのライン速度で押し出されるのに十分な加工性を有する、請求項１に記載のエラストマーフィルム。
【請求項１０】
前記エラストマーフィルムが少なくとも一つの第２のオレフィンベースエラストマーポリマーを含む第２の層をさらに含む、請求項１に記載のエラストマーフィルム。
【請求項１１】
（１）以下を含む第１の層；
（ａ）少なくとも一つのオレフィンベースエラストマーポリマー、および
（ｂ）少なくとも一つの第１のドローダウンポリマー、
（２）以下を含む第２の層；
（ａ）少なくとも一つのエラストマーポリマー、および
（ｂ）少なくとも一つの第２のドローダウンポリマー、
を含む二つ以上の層を備える多層エラストマーフィルムであって、
前記多層エラストマーフィルムは約４０ｇｓｍ以下の坪量を有し、
前記多層エラストマーフィルムは最初にその元々のサイズの１００％延伸されてから回復した後約１５％以下の永久歪を有する、多層エラストマーフィルム。
【請求項１２】
前記第２の層の前記少なくとも一つのエラストマーポリマーはオレフィンベースエラストマーポリマーである、請求項１１に記載の多層エラストマーフィルム。
【請求項１３】
前記第２の層の前記少なくとも一つのエラストマーポリマーは非オレフィンベースエラストマーポリマーである、請求項１１に記載の多層エラストマーフィルム。
【請求項１４】
前記多層エラストマーフィルムの坪量が約１から約１０ｇｓｍである、請求項１１に記載の多層エラストマーフィルム。
【請求項１５】
前記少なくとも一つのオレフィンベースエラストマーポリマーが、エチレン−プロピレンランダムコポリマー、エチレン−ブテンランダムコポリマー、エチレン−ヘキセンランダムコポリマー、エチレン−オクテンオレフィンブロックコポリマー、プロピレン−エチレンオレフィンブロックコポリマー、エチレンαオレフィンコポリマー、エチレンαオレフィンランダムコポリマー、エチレンαオレフィンブロックコポリマー、およびそれらの混合物からなる群から選択される、請求項１１に記載の多層エラストマーフィルム。
【請求項１６】
前記少なくとも一つのオレフィンベースエラストマーポリマーが前記第１の層の約７０重量％から約９０重量％までの量で存在する、請求項１１に記載の多層エラストマーフィルム。
【請求項１７】
前記少なくとも一つの第１のドローダウンポリマーが、リニア低密度ポリエチレン、高密度ポリエチレン、ホモポリマーポリプロピレン、およびそれらの混合物からなる群から選択される、請求項１１に記載の多層エラストマーフィルム。
【請求項１８】
前記少なくとも一つの第１のドローダウンポリマーが前記第１の層の約５重量％から約２５重量％までの合計量で存在する、請求項１１に記載の多層エラストマーフィルム。
【請求項１９】
前記第２の層の前記少なくとも一つのエラストマーポリマーが非オレフィンベースエラストマーポリマーである、請求項１１に記載の多層エラストマーフィルム。
【請求項２０】
前記第２の層の前記少なくとも一つのエラストマーポリマーが、ビニルアリーレンおよび共役ジエンのブロックコポリマー、天然ゴム、ポリエステルゴム、ポリアミド系エラストマー、ポリエーテル系エラストマー、ポリイソプレン、ポリネオプレン、およびそれらの混合物からなる群から選択される、請求項１１に記載の多層エラストマーフィルム。
【請求項２１】
前記第２の層の前記少なくとも一つのエラストマーポリマーがスチレンブロックコポリマーである、請求項１１に記載の多層エラストマーフィルム。
【請求項２２】
前記第２の層の前記少なくとも一つのエラストマーポリマーが、スチレン−ブタジエン−スチレンブロックコポリマー、スチレン−イソプレン−スチレンブロックコポリマー、スチレン−イソプレン−ブタジエン−スチレンブロックコポリマー、スチレン−エチレンブチレン−スチレンブロックコポリマー、スチレン−エチレン−プロピレンブロックコポリマー、スチレン−エチレン−プロピレン−スチレンブロックコポリマー、スチレン−エチレン−エチレン−プロピレン−スチレンブロックコポリマー、およびこれらの混合物からなる群から選択される、請求項１１に記載の多層エラストマーフィルム。
【請求項２３】
前記第２の層の前記少なくとも一つのエラストマーポリマーが前記第２の層の約１０重量％から約９０重量％までの量で存在する、請求項１１に記載の多層エラストマーフィルム。
【請求項２４】
前記少なくとも一つの第２のドローダウンポリマーが、ポリスチレン、高衝撃ポリスチレン、リニア低密度ポリエチレン、高密度ポリエチレン、ホモポリマーポリプロピレン、およびそれらの混合物からなる群から選択される、請求項１１に記載の多層エラストマーフィルム。
【請求項２５】
前記少なくとも一つの第２のドローダウンポリマーが前記第２の層の約５重量％から約２５重量％までの合計量で存在する、請求項１１に記載の多層エラストマーフィルム。
【請求項２６】
前記第１の層が前記多層エラストマーフィルムの約１０重量％から約９０重量％であり、前記第２の層が前記多層エラストマーフィルムの約１０重量％から約９０重量％である、請求項１１に記載の多層エラストマーフィルム。
【請求項２７】
前記多層エラストマーフィルムが第３の層をさらに含み、前記第３の層が
（ａ）少なくとも一つの第２のエラストマーポリマー、および
（ｂ）少なくとも一つの第３のドローダウンポリマー、を含み、
前記多層エラストマーフィルムが二つの外側層と一つの内側層とからなる三つの層を有し、
前記第１の層および前記第３の層が前記外側層を形成し、
前記第２の層が前記内側層を形成する、請求項１１に記載の多層エラストマーフィルム。
【請求項２８】
前記少なくとも一つの第２のエラストマーポリマーがオレフィンベースエラストマーポリマーである、請求項２７に記載の多層エラストマーフィルム。
【請求項２９】
前記少なくとも一つの第２のエラストマーポリマーが非オレフィンベースエラストマーポリマーである、請求項２７に記載の多層エラストマーフィルム。
【請求項３０】
前記第３の層の前記少なくとも一つの第２のエラストマーポリマーが、スチレン−ブタジエン−スチレンブロックコポリマー、スチレン−イソプレン−スチレンブロックコポリマー、スチレン−イソプレン−ブタジエン−スチレンブロックコポリマー、スチレン−エチレンブタジエン−スチレンブロックコポリマー、スチレン−エチレン−プロピレンブロックコポリマー、スチレン−エチレン−プロピレン−スチレンブロックコポリマー、スチレン−エチレン−エチレン−プロピレン−スチレンブロックコポリマー、およびこれらの混合物からなる群から選択される、請求項２７に記載の多層エラストマーフィルム。
【請求項３１】
前記少なくとも一つの第３のドローダウンポリマーが、ポリスチレン、高衝撃ポリスチレン、リニア低密度ポリエチレン、高密度ポリエチレン、ホモポリマーポリプロピレン、およびそれらの混合物からなる群から選択される、請求項２７に記載の多層エラストマーフィルム。
【請求項３２】
前記第１の層と前記第３の層とが同じ組成を有する、請求項２７に記載の多層エラストマーフィルム。
【請求項３３】
前記外側層の各々が前記多層エラストマーフィルムの約５重量％から約４５重量％であり、前記内側層が前記多層エラストマーフィルムの約１０重量％から約９０重量％である、請求項２７に記載の多層エラストマーフィルム。
【請求項３４】
前記第１の層の前記多層エラストマーフィルムに対する重量％が、前記多層エラストマーフィルムに対する前記第３の層の重量％とほぼ等しい、請求項２７に記載の多層エラストマーフィルム。
【請求項３５】
前記多層エラストマーフィルムが少なくとも約２００ｆｐｍのライン速度で押し出されるのに十分な加工性を有する、請求項２７に記載の多層エラストマーフィルム。
【請求項３６】
（Ａ）請求項１に記載の前記エラストマーフィルムであるか、または請求項１１に記載の前記多層エラストマーフィルムである、フィルムと、
（Ｂ）少なくとも１つの基材と、を含み、
前記フィルムと前記少なくとも１つの基材とが互いに積層されて形成される積層体。
【請求項３７】
前記少なくとも１つの基材が不織布を含む、請求項３６に記載の積層体。
【請求項３８】
前記少なくとも１つの基材が、スパンボンド不織ウェブ、毛羽立ち不織ウェブ、メルトブロー不織ウェブ、スパンレース不織ウェブ、スパンボンドメルトブロースパンボンド不織ウェブ、スパンボンドメルトブローメルトブロースパンボンド不織ウェブ、非接合不織ウェブ、およびそれらの組合せからなる群から選択される不織布を含む、請求項３６に記載の積層体。
【請求項３９】
前記少なくとも１つの基材の坪量が約３ｇｓｍから約１００ｇｓｍである、請求項３６に記載の積層体。
【請求項４０】
前記少なくとも１つの基材の坪量が約３ｇｓｍから約３０ｇｓｍである、請求項３６に記載の積層体。
【請求項４１】
前記少なくとも１つの基材が、実質的に非円形である繊維の長軸に垂直な断面を備える繊維を含む不織布を含む、請求項３６に記載の積層体。
【請求項４２】
前記不織布が、長方形、楕円形、トリローバル、または三角形である繊維の長軸に垂直な断面を備える繊維を含む、請求項３７に記載の積層体。
【請求項４３】
前記不織布が繊維の長軸に垂直な断面を備える繊維を含み、前記断面が最も長い軸と最も短い軸とを有し、最も短い軸の長さに対する最も長い軸の長さの比が約１．１から約１５．０である、請求項３７に記載の積層体。
【請求項４４】
前記不織布が繊維の長軸に垂直な断面を備える繊維を含み、前記断面が最も長い軸と最も短い軸とを有し、最も短い軸の長さに対する最も長い軸の長さの比が約２．０から約１０．０である、請求項３７に記載の積層体。
【請求項４５】
前記積層は、接着結合、サーマルボンディング、押出ラミネーション、超音波ボンディング、カレンダリング、またはそれらの組合せを用いて生じる、請求項３６に記載の積層体。
【請求項４６】
前記積層体が第２の不織布をさらに含み、前記フィルムが前記不織布の一つの表面上、および前記第２の不織布の他の表面上に積層される、請求項３６に記載の積層体。
【請求項４７】
前記不織布および前記第２の不織布が同じ不織布材料からなる、請求項４６に記載の積層体。
【請求項４８】
前記積層体が延伸により活性化される、請求項３６に記載の積層体。
【請求項４９】
前記積層体がその元々のサイズの１００％の延伸からの回復の後約１５％以下の永久歪を有する、請求項４８に記載の積層体。
【請求項５０】
フィルム層内部に混合物を押し出す段階を含む、請求項１に記載のエラストマーフィルムの製造方法であって、
前記混合物は、
（ｉ）少なくとも一つのオレフィンベースエラストマーポリマーと、
（ｉｉ）少なくとも一つのドローダウンポリマーとを含み、
前記エラストマーフィルムが約２５ｇｓｍ以下の坪量を有し、
前記エラストマーフィルムが最初にその元々のサイズの１００％延伸されてから回復した後約１５％以下の永久歪を有する、製造方法。
【請求項５１】
第１の層および第２の層を共押出する段階を含む、請求項１１に記載の前記多層エラストマーフィルムの製造方法であって、
前記第１の層が少なくとも一つのオレフィンベースエラストマーポリマーと、少なくとも一つの第１のドローダウンポリマーとを含み、
前記第２の層が少なくとも一つのエラストマーポリマーと、少なくとも一つの第２のドローダウンポリマーとを含み、
前記多層エラストマーフィルムが約４０ｇｓｍ以下の坪量を有し、
前記多層エラストマーフィルムが最初にその元々のサイズの１００％延伸されてから回復した後約１５％以下の永久歪を有する、製造方法。
【請求項５２】
第１の層、第２の層および第３の層を共押出する段階を含む、請求項２７に記載の前記多層エラストマーフィルムの製造方法であって、
前記第１の層が少なくとも一つのオレフィンベースエラストマーポリマーと、少なくとも一つの第１のドローダウンポリマーとを含み、
前記第２の層が少なくとも一つのエラストマーポリマーと、少なくとも一つの第２のドローダウンポリマーとを含み、
前記第３の層が少なくとも一つの第２のエラストマーポリマーと、少なくとも一つの第３のドローダウンポリマーとを含み、
前記多層エラストマーフィルムが二つの外側層と一つの内側層とからなる三つの層を有し、
前記第１の層および前記第３の層が前記外側層を形成し、
前記第２の層が前記内側層を形成し、
前記多層エラストマーフィルムが約４０ｇｓｍ以下の坪量を有し、
前記多層エラストマーフィルムが最初にその元々のサイズの１００％延伸されてから回復した後約１５％以下の永久歪を有する、製造方法。
【請求項５３】
前記押出が少なくとも約２００ｆｐｍのライン速度で実施される、請求項５０から５２の何れか一項に記載の製造方法。
【請求項５４】
前記フィルムを少なくとも１つの基材に積層する段階を含む、請求項３６に記載の前記積層体の製造方法。
【請求項５５】
前記積層は、接着結合、サーマルボンディング、押出ラミネーション、超音波ボンディング、カレンダリング、またはそれらの組合せを用いて生じる、請求項５４に記載の製造方法。
【請求項５６】
延伸による前記積層体の活性化をさらに含む、請求項５４に記載の製造方法。